(57)【要約】【課題】駆動音が小さいファン及びファンを備えた冷蔵庫を提供する。【解決手段】機械室に配されたファンを備える冷蔵庫であって、ファンは、羽と、羽の径方向外側に配した外側ファンケーシングと、を有し、外側ファンケーシングは、ファンを機械室に取付ける取付部を有し、取付部及び羽の間に位置し、かつ、外側ファンケーシングと一体である制振部を有する。【選択図】図９
2016070157.tif 000002
【特許請求の範囲】
【請求項１】
機械室に配されたファンを備える冷蔵庫であって、
前記ファンは、羽と、該羽の径方向外側に配した外側ファンケーシングと、を有し、
前記外側ファンケーシングは、前記ファンを前記機械室に取付ける取付部を有し、
前記取付部及び前記羽の間に位置し、かつ、前記外側ファンケーシングと一体である制振部を有することを特徴とする冷蔵庫。
【請求項２】
前記制振部は、前記ファンの上流側及び下流側に位置して互いに略対向する上流側制振部及び下流側制振部を有し、
該上流側制振部及び下流側制振部は、それぞれ前記外側ファンケーシングの内壁までの距離が異なることを特徴とする請求項１に記載の冷蔵庫。
【請求項３】
前記ファンは、前記羽の径方向外側かつ前記外側ファンケーシングの径方向内側に位置する内側ファンケーシングを有し、
前記羽の径方向外側に設けられ、前記外側ファンケーシングの内壁及び前記内側ファンケーシングの外壁に当接するスペーサを有し、
前記内壁及び前記外壁の間に空間が形成されていることを特徴とする請求項２に記載の冷蔵庫。
【請求項４】
前記スペーサは、長細形状であり、
該スペーサを前記内側ファンケーシングの外壁の角部を囲んで設けたことを特徴とする請求項２又は３に記載のファン。
【請求項５】
前記外側ファンケーシングの外形寸法は、前記機械室の空間寸法と略等しく、
前記制振部は、前記外側ファンケーシングの上側に位置する上側制振部と、前記外側ファンケーシングの下側に位置する下側制振部と、を有することを特徴とする請求項１乃至４何れか一項に記載の冷蔵庫。
【発明の詳細な説明】
【技術分野】
【０００１】
本発明は、冷蔵庫に関する。
【背景技術】
【０００２】
冷蔵庫の機械室には、圧縮機の外側に空気を送風して冷却するファンが通常、具備されている。近年の冷蔵庫に対しては静音駆動への要望が強く、ファンの駆動音を外部に伝搬しない構成が求められている。
【０００３】
ファン構造に関係する文献として、特許文献１，２がある。
特許文献１は、ファンユニット１０の軸方向両側に設けられた固定孔１２０を、ケーシング２０の振動緩衝部材２５に係合させる構成を開示している（図２、段落００１２）。
【０００４】
特許文献２は、フレーム２ｄの外周面を包み、フランジ２ａ、２ａの間に介装させてある防振スポンジ１０を備えており、防振スポンジ１０の上面及び下面には、それぞれに嵌合させる凹形状の取付枠１２、１２が設けられており、軸流ファン２に取り付けられた防振スポンジ１０の上面及び下面が、取付枠１２を介して筐体の天地両内面に挟持されて、軸流ファン２が筐体内に保持される構成を開示している（要約、図１，２）。
【先行技術文献】
【特許文献】
【０００５】
【特許文献１】特開２０１３−９３５５０号公報
【特許文献２】特開２００８−１９０４３４号公報
【発明の概要】
【発明が解決しようとする課題】
【０００６】
特許文献１は、ファンユニット１０がケーシング２０に軸方向両側から固定されるため、ケーシング２０にファンユニット１０の振動が伝搬され易い。また、冷蔵庫の機械室に設置されるファンは、ファンより上流側の空間と下流側の空間とを区画するべく、機械室２９の寸法に合わせた外側ケーシングに取り付けることが好ましい。特許文献１のようなケーシング２０は、ファンユニット１０の軸方向に設けて振動を抑制するものであり、径方向に設けられるものではないため、機械室用のファンへの適用が困難である。
【０００７】
特許文献２は、軸流ファン２の径方向全周に亘って防振スポンジ１０が設けられ、そこに取付枠１２が圧接されている。軸流ファンに対する取付枠又は筐体への接触面積が大きい構造では、軸流ファンを保持している筐体に振動が伝搬し易い。
【０００８】
また、特許文献１と特許文献２のいずれも、ファン構造の内ケースと外ケースとの間の防振に着目しており、ファン構造からファン構造を保持する部材（例えば冷蔵庫の機械室）への防振については何ら開示していない。
【０００９】
上記事情に鑑み、本発明は、ファンの駆動音を抑制した冷蔵庫を提供することを目的とする。
【課題を解決するための手段】
【００１０】
上記事情に鑑みてなされた本発明は、機械室に配されたファンを備える冷蔵庫であって、前記ファンは、羽と、該羽の径方向外側に配した外側ファンケーシングと、を有し、前記外側ファンケーシングは、前記ファンを前記機械室に取付ける取付部を有し、前記取付部及び前記羽の間に位置し、かつ、前記外側ファンケーシングと一体である制振部を有することを特徴とする。
【発明の効果】
【００１１】
本発明によれば、ファンの駆動音を抑制した冷蔵庫を提供できる。
【図面の簡単な説明】
【００１２】
【図１】実施例１の冷蔵庫の斜視図
【図２】図１のＡ−Ａ断面図
【図３】実施例１の冷凍サイクル構成説明図
【図４】実施例１の機械室説明図
【図５】実施例１の（ａ）ファンの分解斜視図、（ｂ）上面視によるファンの一部拡大図
【図６】実施例１のスペーサの正面図
【図７】実施例１のスペーサを取付けた内側ファンケースの正面図
【図８】実施例１のスペーサを取付けた角部近傍の拡大図
【図９】実施例１の（ａ）ファンの側面図、（ｂ）正面図
【図１０】図４のＫ部拡大図であり、（ａ）は、上流側制振部より下流側制振部の方が上方に位置している例を示す図、（ｂ）は上流側制振部のみを設けた例を示す図、（ｃ）は下流側制振部のみを設けた例を示す図、（ｄ）は下流側制振部より上流側制振部の方が上方に位置している例を示す図、（ｅ）は下流側制振部と上流側制振部とが同一の高さに位置している例を示す図。
【図１１】図９のＡ部拡大図であり、外側ファンケーシングの下端近傍の拡大図
【発明を実施するための形態】
【００１３】
以下、本発明の実施例を添付の図面を参照しつつ説明する。同様の構成要素には同様の符号を付し、説明を省略する。
【００１４】
本発明の各種の構成要素は、必ずしも個々に独立した存在である必要はなく、一の構成要素が複数の部材から成ること、複数の構成要素が一の部材から成ること、或る構成要素が複数の構成要素の一部であること、或る構成要素の一部と他の構成要素の一部とが重複していること、等を許容する。
【実施例１】
【００１５】
［冷蔵庫１の全体構成］
図１は本実施例の冷蔵庫１の斜視図、図２は図１のＡ−Ａ線断面図、図３は冷凍サイクルの構成を示す図である。
【００１６】
冷蔵庫１は、冷蔵、冷凍する食品等の貯蔵物を収容する冷蔵庫本体１Ａと、冷蔵庫本体１Ａの前面開口部１Ｂ(図２参照)を開閉する複数の扉(２ａ，２ｂ，３ａ，３ｂ，４ａ，５ａ)を備えている。
【００１７】
冷蔵庫本体１Ａは、内部に上から冷蔵室２と、上段冷凍室３、下段冷凍室４、野菜室５とを有している。これらの部屋が開口される前面開口部１Ｂには、それぞれ扉が設けられている。
【００１８】
冷蔵室右扉２ａと冷蔵室左扉２ｂは、冷蔵室２を開閉する扉であり、観音開き式の左右二枚の扉より構成されている。製氷室扉３ａと上段冷凍室扉３ｂは、上段冷凍室３を開閉する扉であり、下段冷凍室扉４ａは下段冷凍室４を開閉する引き出し式の扉、最下段の野菜室扉５ａは野菜室５を開閉する扉であり、引き出し式の扉である。なお、引き出し式の扉は、貯蔵物が収容される収容ケースとともに引き出される扉である。
【００１９】
図２に示す冷却器室９内には、冷却器９ａが設置されている。冷却器９ａを含む冷凍サイクルの詳細構成は、図３に示すとおりである。まず、圧縮機３０から吐出された高温高圧の冷媒が、機械室凝縮器３０ａ、放熱パイプ（筐体鋼板凝縮器）３２ａ、結露防止パイプ３０ｂを通過しながら、外気に接している側面鋼板１１ａ，１１ｂを介した熱交換で、冷却されて液化が促進される。側面鋼板１１ａ，１１ｂは互いに対向している。
【００２０】
液化した冷媒は、キャピラリチューブ３０ｃを通り減圧され、冷却器９ａにより庫内を冷却する。冷却器９ａを通過した冷媒はガス化し、圧縮機３０に戻る。
【００２１】
ここで、冷蔵庫１に於いては、凝縮器として、冷媒が通流する放熱パイプ４１を冷蔵庫本体１Ａの外郭を構成する側面鋼板１１及び背面板１２の内側，天井板１０に取り付け凝縮器の代わりをさせて放熱している。
【００２２】
冷媒の種類は特に制限されないが、例えばイソブタン(Ｒ６００ａ)が用いられる。イソブタンは廃棄した場合にオゾン層を破壊しない、温暖化係数が低いなどの利点がある。
【００２３】
冷凍サイクルの冷却器９ａで冷却された冷気は、庫内冷気循環ファン９ｂにより、冷蔵室２、上段冷凍室３、下段冷凍室４、野菜室５等に強制循環させる。そして、冷蔵室２、野菜室５を冷気に対してダンパーサーモで開閉し、上段冷凍室３を、温度調節器(サーモスタット)等をもって、それぞれ設定温度に冷却している。
【００２４】
冷蔵庫１の庫内温度は、冷蔵庫本体１Ａの上部後方に設けられた制御基板によって制御されている。
【００２５】
［機械室２９］
図４は、機械室２９の内部構成を説明する図である。機械室２９の位置は特に制限されないが、本実施例では冷蔵庫１の下側後方に設けている。機械室２９は、冷蔵庫１の対向する側面を形成する側面鋼板１１ａ，１１ｂにそれぞれ設けた吸込穴２９ｓ，排出穴２９ｈを介して、機械室２９の内外の空気を交換できる。その他には、例えば、冷蔵庫１の上側後方に機械室２９を配しても良い。
機械室２９には、圧縮機３０とファン４１を配している。
【００２６】
［ファン４１］
図５（ａ）はファン４１の分解斜視図、図５（ｂ）は上面視によるファン４１の一部拡大図である。ファン４１は、内側ファンケーシング４１ｂと外側ファンケーシング４１ｄを有する。内側ファンケーシング４１ｂは、羽４１ａ及び羽４１ａの径方向外側に位置し、羽４１ａを囲む外壁４１ｂｂを有する。外側ファンケーシング４１ｄは、外壁４１ｂｂより径方向外側に位置し、外壁４１ｂｂを囲む内壁４１ｄｂを有する。内壁４１ｄｂは、外壁４１ｂｂよりやや径方向に大きい。このため、外壁４１ｂｂと内壁４１ｄｂとは羽４１ａの径方向で対向し、内側ファンケーシング４１ｂは、内壁４１ｄｂで囲まれた領域に設置することができる。
【００２７】
内側ファンケーシング４１ｂ及び外側ファンケーシング４１ｄは、それぞれ正面視（前後方向視）で略長方形状であり、側面視（左右方向視）及び上面視（上下方向視）で、正面視よりもアスペクト比が大きい（長辺と短辺との長さの差が大きい）略長方形状である。但し、内側ファンケーシング４１ｂ及び外側ファンケーシング４１ｄの各方向から観察したときの形状は略長方形状に限られず、例えば略円形状、略三角形状、五角形以上の略多角形状にすることができる。
【００２８】
外側ファンケーシング４１ｄは、後述する取付部４１ｇを用いてファン４１を設置する機械室２９に取付けられる部材である。外側ファンケーシング４１ｄの外寸は、機械室２９の空間寸法に略等しい。すなわち、外側ファンケーシング４１ｄの長方形状の外周形状は、機械室２９を側面鋼板１１に平行な平面による断面の内周形状に略等しい。
【００２９】
［スペーサ４１ｃ］
図６はスペーサ４１ｃの正面図、図７はスペーサ４１ｃを取付けた内側ファンケース４１ｂの正面図、図８はスペーサ４１ｃを取付けた角部４１ｂａ近傍の拡大図である。スペーサ４１ｃは、所定の長さ及び所定の厚みを持つ。
スペーサ４１ｃは、内側ファンケーシング４１ｂの外壁４１ｂｂに取付けられる。本実施例では外壁４１ｂｂの内、頂点（角部４１ｂａ）の近傍にそれぞれ取付けられており、より具体的には、角部４１ｂａを囲む又は含む領域に取付けられている。スペーサ４１ｃの所定の長さは、外壁４１ｂｂの二辺に亘って取付けることができる長さであり、これにより、二か所の接触箇所を形成することができるため、工程を簡略化できる。もちろん、複数のスペーサ４１ｃを用いて角部４１ｂａを囲む又は含むように配置しても良い。角部４１ｂａの近傍に配置し、略長方形状を形成する外壁４１ｂｂの辺の中点側を避けているため、取付時にスペーサ４１ｃが羽４１ａに接触する領域に位置することを抑制できる。なお、角部４１ｂａを囲むようにスペーサ４１ｃを設ける方が、角部４１ｂａを含んでスペーサ４１ｃを設けるよりも取付が容易であるため好ましい。また、スペーサ４１ｃは外壁４１ｂｂと内壁４１ｄｂとの間に空間を形成できれば形状に制限はなく、例えば、突起形状や正方形状にして外壁４１ｂｂに設けることもできる。
【００３０】
本実施例の内側ファンケーシング４１ｂは略長方形状のため、角部４１ｂａは四つ存在する。ここで、スペーサ４１ｃは、外壁４１ｂｂの各点が内壁４１ｄｂとの間に空間（不図示）を形成するように設けられていれば特に制限されない。例えば、外壁４１ｂｂの各辺に一つ又は二つ以上設けると好ましい。
【００３１】
内側ファンケーシング４１ｂと外側ファンケーシング４１ｄを組付けると、図５中の斜線部（スペーサ４１ｃの一部であり、８箇所存在する。）が内壁４１ｄｂに当接する。スペーサ４１ｃは所定の厚みを持つため、外壁４１ｂｂと内壁４１ｄｂの間には空間（不図示）が形成される。このため、内側ファンケーシング４１ｂと外側ファンケーシング４１ｄとの接触面積を小さくすることができ、羽４１ａの回転によって生じる振動や騒音が外側ファンケーシング４１ｄを介して機械室２９や冷蔵庫１に伝搬することを抑制できる。なお、スペーサ４１ｃは、片面に粘着性を有していると取付が容易になり、好ましい。また、スペーサ４１ｃの材質は弾性体が望ましく、例えばゴムなどの樹脂材により形成することができる。スペーサ４１ｃを弾性体にすることで、スペーサ４１ｃ自体が振動を吸収できるため、より振動や騒音の発生を抑制することができる。
【００３２】
なお、本実施例では、図７中、左下の角部４１ｂａ近傍には、羽４１ａの配線（不図示）が通る配線口４１ｂｃが設けられている。このため、左下の角部４１ｂａ近傍のスペーサ４１ｃは二つであり、配線口４１ｂｃの少なくとも一部を避けて貼付されている。
【００３３】
このように内側ファンケーシング４１ｂはスペーサ４１ｃを介して外側ファンケーシング４１ｄと小さい面積で接触しているため、ファン４１の振動が外側ファンケーシング４１ｄに伝搬することを抑制できる。
【００３４】
内側ファンケーシング４１ｂは、外壁４１ｂｂに設けたスペーサ４１ｃと内壁４１ｄｂとによる摩擦抵抗で外壁４１ｂｂから離間しないように設置されている。このため、内側ファンケーシング４１ｂは、内側ファンケーシング４１ｂの径方向外側に位置する外側ファンケーシング４１ｄには固定されておらず、前後方向に移動可能である。また、内側ファンケーシング４１ｂは外側ファンケーシング４１ｄより小さいため、例えばスペーサ４１ｃが弾性体であるときは、左右方向及び上下方向にも移動可能である。
【００３５】
また、内側ファンケーシング４１ｂは前後方向、好ましくは左右方向及び上下方向に移動可能であるため、羽４１ａの振動によるエネルギーが内側ファンケーシング４１ｂの運動やスペーサ４１ｃの変形によって消費される。このため、ファン４１の振動を抑制できる。
【００３６】
［鉤４１ｄａ及び突起４１ｄｃ］
内側ファンケーシング４１ｂは前後方向に移動可能であるため、外側ファンケーシング４１ｄから脱離しないようにすることが望まれる。これは、外側ファンケーシング４１ｄと内側ファンケーシング４１ｂとの寸法差の調整や、取付時のスペーサ４１ｃの厚みや弾性変形の程度を調整することでも実現し得る。しかし本実施例では、脱離の抑制をより効果的に行うため、例えば図５に示すように、外側ファンケーシング４１ｄは、係止部として鉤４１ｄａ及び突起４１ｄｃを有している。
【００３７】
鉤４１ｄａは、根元側から先端側にかけて折り返す曲がりを有する形状である。根元側は、外側ファンケーシング４１ｄの後方向に突出しており、曲がりによって先端側が前方向を向くように形成されている。先端が内側ファンケーシング４１ｂに当接することで、内側ファンケーシング４１ｂが外側ファンケーシング４１ｄの後方向に脱離することを抑制している。
【００３８】
突起４１ｄｃは、外側ファンケーシング４１ｄの前方向先端に設けられており、径方向内側に突出している。突起４１ｄｃの先端が内側ファンケーシング４１ｂに当接することで、内側ファンケーシング４１ｂが外側ファンケーシング４１ｄの前方向に脱離することを抑制している。
【００３９】
鉤４１ｄａは、内側ファンケーシング４１ｂに当接して係止すればよいが、図５（ｂ）に示すように、弾性体のスペーサ４１ｃに鉤４１ｄａが接触するように設けると、さらに振動の伝搬を抑制できて好ましい。このとき、スペーサ４１ｃは弾性体であるため、鉤４１ｄａがやや喰い込み、より効果的に係止できる。鉤４１ｄａにより、小さな接触面積で内側ファンケーシング４１ｂと外側ファンケーシング４１ｄとを繋ぐことができ、振動の伝搬を抑制しつつ脱離を抑制できる。
【００４０】
なお、鉤４１ｄａは根元側を基点にして回動できる。鉤４１ｄａの自然位置は、先端が内側ファンケーシング４１ｂを向く位置であり、回動させると自然位置に戻ろうとする復元力が働く。つまり、内側ファンケーシング４１ｂの取付時には、図５（ｂ）中、反時計回り（左後方）に力を加えて回動させることができ、取付を容易に行うことができる。そして取付後に鉤４１ｄａに加えていた力を解除すると、鉤４１ｄａは、図５中、時計回り（右前方）に回動して内側ファンケーシング４１ｂを係止する。鉤４１ｄａの先端は、自然位置で内側ファンケーシング４１ｂに当接する位置又は内側ファンケーシング４１ｂに対して前方への力を付加する位置でも良い。
【００４１】
また、外側ファンケーシング４１ｄの軸方向視では、鉤４１ｄａに対向する位置に突起４１ｄｃが設けられている。図５（ｂ）に示すように、内側ファンケーシング４１ｂは、鉤４１ｄａによって後方向への脱離が抑制され、突起４１ｄｃによって前方向への脱離を抑制されている。
【００４２】
なお、突起４１ｄｃは、外壁４１ｂｂの軸方向側に接触するように位置していればよいが、スペーサ４１ｃに接触するように設けると好ましい。
【００４３】
また、係止部の組合せに特に制限はなく、例えば、前側及び後側の両方に鉤４１ｄａを設けても良い。
【００４４】
［制振部４１ｅ及び取付部４１ｇ］
図９（ａ）はファン４１の側面図、図９（ｂ）はファン４１の正面図である。図９（ａ）及び図９（ｂ）の上下方向位置は対応している。
【００４５】
外側ファンケーシング４１ｄは、制振部４１ｅ（ファン４１の上流側に位置する上流側制振部４１ｅ１、ファン４１の下流側に位置する下流側制振部４１ｅ２、脚部側制振部４１ｅ３）、取付部４１ｇ（挿通孔４１ｇ１、脚部４１ｇ２）を有している。
【００４６】
制振部４１ｅは、外側ファンケーシング４１ｄの一部を折り返して曲げた形状であり、例えばＵ字状、Ｓ字状、Ｖ字状、Ｗ字状や、これらを複数組み合わせた形状にすることができる。制振部４１ｅは、取付部４１ｇより内壁４１ｄｂ又は外壁４１ｂｂに近い位置に設けられている。制振部４１ｅは、ファン４１から外側ファンケーシング４１ｄに伝搬した振動に伴い変形することで、制振部４１ｅを介してファン４１の反対側に位置する取付部４１ｇに振動が伝搬することを抑制できる。また、制振部４１ｅは外側ファンケーシング部４１ｄと一体に形成されている。このため、外側ファンケーシング４１ｄの成形と同時に制振部４１ｅを成形できるから、外側ファンケーシング４１ｄに低コストで制振部４１ｅを設けることができる。
【００４７】
また、制振部４１ｅ及び外側ファンケーシング４１ｄは、例えば樹脂材料で形成することができ、例えば、ポリプロピレン、ＡＢＳ樹脂、アクリロニトリルを用いることができる。
【００４８】
取付部４１ｇの形態は、ファン４１を機械室２９に取付けることができれば特に制限されず、爪、鉤、嵌合可能な凹凸などでもよい。羽４１ａから発生する振動は、外壁４１ｂｂからスペーサ４１ｃを介して一部が内壁４１ｄｂに伝わる。この振動は、内壁４１ｄｂから取付部４１ｇを介して機械室２９、冷蔵庫１に伝わる。本実施例では、取付部４１ｇ及び外壁４１ｂｂ又は内壁４１ｄｂの間に設けられた制振部４１ｅによって振動の伝達を抑制することができる。以下、詳細に説明する。
【００４９】
［上流側制振部４１ｅ１、下流側制振部４１ｅ２及び挿通孔４１ｇ１］
上流側制振部４１ｅ１及び下流側制振部４１ｅ２は、それぞれ外側ファンケーシング４１ｄの前後方向で異なる位置に設けられており、互いに略対向している。
【００５０】
挿通孔４１ｇ１は、上流側制振部４１ｅ１及び下流側制振部４１ｅ２を介して羽４１ａの反対側に位置している。本実施例では、上流側制振部４１ｅ１及び下流側制振部４１ｅ２は、挿通孔４１ｇ１より下方側で、かつ、外壁４１ｂｂ（高さｈ）より上方側に位置している。
【００５１】
ファン４１は、機械室２９の壁面を貫通するボルト等を挿通孔４１ｇ１に挿通して、機械室２９に取付けることができる。羽４１ａの振動は、挿通孔４１ｇ１に挿通したボルト等を介して機械室２９や冷蔵庫１に伝搬する。このため、羽４１ａと挿通孔４１ｇ１の間に上流側制振部４１ｅ１、下流側制振部４１ｅ２を設けることで振動の伝搬を抑制することができる。
【００５２】
図９では、外側ファンケーシング４１ｄの前後方向それぞれに二つの制振部４１ｅ（上流側制振部４１ｅ１、下流側制振部４１ｅ２）を設けているが、個数や位置関係はこれに限られない。例えば、図４のＫ部拡大図である図１０のように、さまざまにすることができる。図１０（ａ）は、本実施例と同様であり、上流側制振部４１ｅ１より下流側制振部４１ｅ２の方が上方に位置している。図１０（ｂ）は上流側制振部４１ｅ１のみを設けたものである。図１０（ｃ）は下流側制振部４１ｅ２のみを設けたものである。図１０（ｄ）は下流側制振部４１ｅ２より上流側制振部４１ｅ１の方が上方に位置しているものである。図１０（ｅ）は下流側制振部４１ｅ２と上流側制振部４１ｅ１とが同一の高さに位置しているものである。  図１０の何れの場合であっても振動を抑制する効果が得られるが、発明者による解析の結果、上流側制振部４１ｅ１、下流側制振部４１ｅ２両者が設けられて高さｈ（図９参照）までの距離が異なる図１０（ａ），図１０（ｄ）が最も好ましく、上流側制振部４１ｅ１、下流側制振部４１ｅ２両者が設けられて高さｈまでの距離が同一である図１０（ｅ）が次いで好ましく、上流側制振部４１ｅ１、下流側制振部４１ｅ２のいずれか一方が設けられている図１０（ｂ），図１０（ｃ）が次いで好ましいことがわかった。
【００５３】
［脚部側制振部４１ｅ３及び脚部４１ｇ２］
図１１は、図９のＡ部拡大図であり、外側ファンケーシング４１ｄの下端近傍の拡大図である。外側ファンケーシング４１ｄは機械室２９の床面に接する脚部４１ｇ２に、脚部側制振部４１ｅ３を介して繋がっている。脚部側制振部４１ｅ３は、外側ファンケーシング４１ｄの外周に一端を有し、脚部４１ｇ２に他端を有する部材であり、その形状は上流側制振部４１ｅ１、下流側制振部４１ｅ２と同様にすることができる。脚部側制振部４１ｅ３及び脚部４１ｇ２は、外側ファンケーシング４１ｄと一体に成形されている。
【００５４】
機械室２９は、取付部４１ｇである脚部４１ｇ２を係止可能な機械室側係止部（不図示）を有している。羽４１ａの振動は脚部４１ｇ２を介して機械室２９の床面を伝わる。このため、脚部４１ｇ２より外壁４１ｂｂ又は内壁４１ｄｂに近い位置に脚部側制振部４１ｅ３を設けることで、振動の伝搬を抑制できる。
【００５５】
なお、外側ファンケーシング４１ｄの上側に設けられている上流側制振部４１ｅ１、下流側制振部４１ｅ２を纏めて、上側制振部と呼び、外側ファンケーシング４１ｄの下側に設けられている脚部側制振部４１ｅ３を下側制振部と呼称する。本実施例のように、ファン４１の上下側それぞれから機械室２９に取付けることで、ファン４１の固定を安定させることができる。これにより、冷蔵庫１の運搬時にファン４１が脱離したり破損することを抑制できる。
【符号の説明】
【００５６】
１                  冷蔵庫
１Ａ                冷蔵庫本体
１Ｂ                冷蔵庫本体開口部
２                  冷蔵室
３                  上段冷凍室
４                  下段冷凍室
５                  野菜室
２ａ                冷蔵室右扉
２ｂ                冷蔵室左扉
３ａ                製氷室扉
３ｂ                上段冷凍室扉
４ａ                下段冷凍室扉
５ａ                野菜室扉
９                  冷却器室
９ａ                冷却器
９ｂ                冷気循環ファン
１０                天井板
１１ａ，１１ｂ      側面鋼板
１２                背面板
１５                冷蔵庫箱体
２９                機械室
２９ｃ              空気の流れ
２９ｓ              吸込穴
２９ｈ              排出穴
３０                圧縮機
３０ａ              機械室凝縮器
３０ｂ              結露防止パイプ
３０ｃ              キャピラリチューブ
３２ａ              放熱パイプ（筐体鋼板凝縮器）
４１                ファン
４１ａ              羽
４１ｂ              内側ファンケーシング
４１ｂａ            角部
４１ｂｂ            外壁
４１ｂｃ            配線口
４１ｃ              スペーサ
４１ｄ              外側ファンケーシング
４１ｄａ            鉤
４１ｄｂ            内壁
４１ｄｃ            突起
４１ｅ              制振部
４１ｅ１            上流側制振部
４１ｅ２            下流側制振部
４１ｅ３            脚部側制振部
４１ｇ              取付部
４１ｇ１            挿通孔
４１ｇ２            脚部
【図１】
2016070157.tif 000003
【図２】
2016070157.tif 000004
【図３】
2016070157.tif 000005
【図４】
2016070157.tif 000006
【図５】
2016070157.tif 000007
【図６】
2016070157.tif 000008
【図７】
2016070157.tif 000009
【図８】
2016070157.tif 000010
【図９】
2016070157.tif 000011
【図１０】
2016070157.tif 000012
【図１１】
2016070157.tif 000013